(57)【要約】【課題】ラックの後面とサーバの後端部との間の空間を狭め、ラック内におけるスペースの有効利用を図る。【解決手段】装置１は、ラック３に前面から引き出し可能に支持される筐体２と、筐体２に収納される電子機器４に一端が接続され、筐体２の後端部とラック３の後面との間に長さ方向の一部が収容されるケーブル１００と、筐体２の後端部とラック３の後面との間で、筐体２の引き出し動作に応じて伸展可能で、筐体２の後端部とラック３の後面との間のケーブル１００をガイドするケーブルガイド５と、を備え、ケーブルガイド５は、ケーブル１００の一端とは異なる高さで、ケーブル１００を曲げ状態で保持するケーブル保持部材６を備える。【選択図】図１
2017084905.tif 000002
【特許請求の範囲】
【請求項１】
ラックに前面から引き出し可能に支持される筐体と、
前記筐体に収納される電子機器に一端が接続され、前記筐体の後端部と前記ラックの後面との間に長さ方向の一部が収容されるケーブルと、
前記筐体の後端部と前記ラックの後面との間で、前記筐体の引き出し動作に応じて伸展可能で、前記筐体の後端部と前記ラックの後面との間の前記ケーブルをガイドするケーブルガイドと、を備え、
前記ケーブルガイドは、前記ケーブルの一端とは異なる高さで、前記ケーブルを保持する装置。
【請求項２】
前記ケーブルガイドは、前記ケーブルの一端とは異なる高さで、前記ケーブルを曲げ状態で保持するケーブル保持部材を備える、
請求項１に記載の装置。
【請求項３】
前記筐体に収納される電子機器に一端が接続され、前記筐体の後端部と前記ラックの後面との間に長さ方向の一部が収容され、前記ケーブルよりも外径が細い細径ケーブルをさらに備え、
前記細径ケーブルは、前記ケーブル保持部材に、前記ケーブルとは異なる高さで保持される、
請求項２に記載の装置。
【請求項４】
前記ケーブル保持部材は、
前記ケーブルを案内し、第一の曲率半径で湾曲した第一案内面と、
前記細径ケーブルを案内し、前記第一案内面よりも大きな曲率半径で湾曲した第二案内面と、を備える
請求項３に記載の装置。
【請求項５】
前記第一案内面は、前記第二案内面に対し、径方向内側に配置されている、
請求項４に記載の装置。
【請求項６】
前記第一案内面と前記第二案内面との間に、径方向に沿った段差が形成されている、
請求項４又は５に記載の装置。
【請求項７】
前記ケーブル保持部材で、前記ケーブルが、前記細径ケーブルの下方に配置されている、
請求項３から６のいずれか一項に記載の装置。
【請求項８】
前記ケーブルガイドは、前記ケーブル保持部材に対して前記筐体の後端部側で、前記ケーブルと前記細径ケーブルとを異なる高さでガイドする、
請求項３から７のいずれか一項に記載の装置。
【請求項９】
前記ケーブルガイドは、
第一ケーブル保持具と、
前記第一ケーブル保持具よりも高さが低い第二ケーブル保持具と、を備え、
前記第二ケーブル保持具は、前記ケーブルの一端とは異なる高さに設けられ、前記ケーブルを保持する、
請求項２から８のいずれか一項に記載の装置。
【請求項１０】
前記第二ケーブル保持具は、前記第一ケーブル保持具よりも前記ケーブル保持部材に近い位置に設けられている、
請求項９に記載の装置。
【請求項１１】
ラックに前面から引き出し可能に支持される筐体に収納された電子機器に一端が接続され、前記筐体の後端部と前記ラックの後面との間に長さ方向の一部が収容されるケーブルを支持するケーブルガイド装置であって、
前記ケーブルの一端とは異なる高さで、前記ケーブルを曲げ状態で保持するケーブル保持部材を備える、ケーブルガイド装置。
【請求項１２】
ラックに前面から引き出し可能に支持される筐体に収納された電子機器に一端が接続され、前記筐体の後端部と前記ラックの後面との間に長さ方向の一部が収容されるケーブルを曲げ状態で保持するケーブル保持部材であって、
第一の曲率半径で湾曲した第一案内面と、
前記第一案内面よりも大きな曲率半径で湾曲した第二案内面と、
を備えるケーブル保持部材。
【発明の詳細な説明】
【技術分野】
【０００１】
本発明は、装置、ケーブルガイド装置、ケーブル保持部材に関する。
【背景技術】
【０００２】
複数のサーバをラックに収容してなるサーバ装置が用いられている。各サーバは、メンテナンス等を行うために、ラックの前後方向にスライド移動可能に支持され、ラックの前面から手前に引き出すことができるようになっている。この種のサーバにおいて、電源用、データ通信用等の各種配線は、サーバの後端部に接続される。
サーバをラックの前面から前方に引き出したときに、配線に過大な引張力が作用しないよう、配線は、ラックの後面とサーバの後面との間の空間に、余長部を有している。
【０００３】
特許文献１には、ラックの後面とサーバの後面との間の空間に、折り畳み可能なケーブルアームを備え、このケーブルアームに配線の余長部を沿わせて保持した構成が開示されている。ケーブルアームは、二つのアームが折り畳み可能に連結されている。ケーブルアームは、サーバをラック内に収容した状態では、二つのアームが折り畳まれている。配線は、二つのアームに沿って折り畳まれるようにして、ラックの後面とサーバの後面との間に収容されている。サーバをラックの前方に引き出すと、二つのアームが伸展し、配線もラック内で前後方向に伸展する。
【０００４】
ここで、サーバの後端部には、各種の配線の端部に設けられたコネクタが接続される。したがって、サーバをラック内に収容した状態であっても、コネクタと、空間内に折り畳まれた状態で収容される配線の余長部とが干渉するのを避けるため、ラックの後面とサーバの後端部との間の空間は、前後方向の長さを確保する必要がある。
【先行技術文献】
【特許文献】
【０００５】
【特許文献１】特開２０１５−１２２４０７号公報
【発明の概要】
【発明が解決しようとする課題】
【０００６】
しかしながら、サーバ装置等の装置においては、ラック内におけるスペースの有効利用が望まれる。すなわち、限られた大きさのラック内で、サーバの大きさをなるべく大きく確保することが望まれる。
【０００７】
本発明の目的は、上述した課題であるラックの後面と筐体の後端部との間の空間の前後方向の長さを確保する必要があるという課題を解決する装置、ケーブルガイド装置、ケーブル保持部材を提供する。
【課題を解決するための手段】
【０００８】
この発明の第一態様によれば、装置は、ラックに前面から引き出し可能に支持される筐体と、前記筐体に収納される電子機器に一端が接続され、前記筐体の後端部と前記ラックの後面との間に長さ方向の一部が収容されるケーブルと、前記筐体の後端部と前記ラックの後面との間で、前記筐体の引き出し動作に応じて伸展可能で、前記筐体の後端部と前記ラックの後面との間の前記ケーブルをガイドするケーブルガイドと、を備え、前記ケーブルガイドは、前記ケーブルの一端とは異なる高さで、前記ケーブルを保持する。
【０００９】
この発明の第二態様によれば、ケーブルガイド装置は、ラックに前面から引き出し可能に支持される筐体に収納された電子機器に一端が接続され、前記筐体の後端部と前記ラックの後面との間に長さ方向の一部が収容されるケーブルを支持するケーブルガイド装置であって、前記ケーブルの一端とは異なる高さで、前記ケーブルを曲げ状態で保持するケーブル保持部材を備える。
【００１０】
この発明の第三態様によれば、ケーブル保持部材は、ラックに前面から引き出し可能に支持される筐体に収納された電子機器に一端が接続され、前記筐体の後端部と前記ラックの後面との間に長さ方向の一部が収容されるケーブルを曲げ状態で保持するケーブル保持部材であって、第一の曲率半径で湾曲した第一案内面と、前記第一案内面よりも大きな曲率半径で湾曲した第二案内面と、を備える。
【発明の効果】
【００１１】
上記装置、ケーブルガイド装置、ケーブル保持部材では、ラックの後面とサーバの後端部との間の空間を狭め、ラック内におけるスペースの有効利用を図ることができる。
【図面の簡単な説明】
【００１２】
【図１】本発明の装置の最小構成を示す図である。
【図２】本実施形態による装置としてのサーバ装置を示す斜視図である。
【図３】サーバの後端部を斜め後方から見た図である。
【図４】サーバの後端部の平面図である。
【図５】サーバの後端部の後面図である。
【図６】ケーブル保持部材を示す斜視図である。を示す斜視図である。
【発明を実施するための形態】
【００１３】
本発明の複数の実施形態に関して図面を参照して以下に説明する。ただし、本実施形態に関して前述した特許文献１の一例と同一の部分に関しては、同一の名称を使用して詳細な説明は省略する。
【００１４】
［第１の実施形態］
図１は、本実施形態による装置の最小構成を示す図である。
この図が示すように、装置１は、筐体２と、ケーブル１００と、ケーブルガイド（ケーブルガイド装置）５と、を備えている。
【００１５】
筐体２は、例えば平面視長方形状の筐体２内に、電子機器４を収納している。筐体２は、例えば箱状をなしたラック３に収容されている。ラック３には、１以上の装置１の筐体２が収容されている。筐体２は、ラック３に前後方向ＦＲに沿ってスライド移動可能に支持され、ラック３の前面から前方に引き出し可能とされている。
ラック３内に筐体２を前方に引き出さずに収容した状態で、筐体２の後端部２ｒとラック３の後面３ｒとの間には、空間Ｓが形成されている。
【００１６】
筐体２の後端部２ｒには、例えば電源モジュールや通信モジュール等の電子機器４に、電力供給用、データ入出力用等のケーブル１００の一端１００ｃに設けられたコネクタ１０２が接続されている。
ケーブル１００は、その長さ方向の一部が、筐体２の後端部２ｒとラック３の後面３ｒとの間の空間Ｓに収容されている。
【００１７】
筐体２の後端部２ｒとラック３の後面３ｒとの間には、ケーブルガイド５が設けられている。ケーブルガイド５は、筐体２側の前部アーム５ａと、ラック３の後面３ｒ側の後部アーム５ｂとが、連結部５ｃで回動自在に連結されている。ケーブルガイド５は、前部アーム５ａと後部アーム５ｂとが重なり合うように折り畳まれた状態から、連結部５ｃを中心として前部アーム５ａと後部アーム５ｂとがＶ字状に伸展可能となっている。前部アーム５ａは、連結部５ｃと反対側の端部が筐体２側に連結されている。後部アーム５ｂは、連結部５ｃと反対側の端部がラック３の後面３ｒ側に連結されている。これにより、筐体２がラック３内に収容された状態から、筐体２を前方にスライドさせると、筐体２の引き出し動作に応じてケーブルガイド５が伸展する。
【００１８】
このようなケーブルガイド５に対し、一端１００ｃが筐体２の後端部２ｒで電子機器４に接続されたケーブル１００は、ケーブルガイド５の前部アーム５ａおよび後部アーム５ｂに沿うよう設けられている。ケーブル１００は、前部アーム５ａと後部アーム５ｂとの連結部５ｃに設けられたケーブル保持部材６に曲げ状態で保持されている。
【００１９】
ケーブルガイド５は、連結部５ｃを、筐体２の幅方向Ｗの一方の側に配置して設けられている。電子機器４に接続されたケーブル１００のうち、例えば電源モジュールに接続された電源供給用のケーブル１００の一端１００ｃは、幅方向Ｗにおいて連結部５ｃと同じ側に配置されている。
【００２０】
ケーブル保持部材６は、曲げ状態のケーブル曲げ部１００ｗを、筐体２の後端部２ｒで電子機器４に接続されたケーブル１００の一端１００ｃとは、異なる高さで保持する。
【００２１】
この装置１は、筐体２がラック３内に収容され、ケーブルガイド５が折り畳まれた状態で、ケーブル保持部材６が、ケーブル１００の一端１００ｃに近接する。筐体２に接続されるケーブル１００の一端１００ｃと、ケーブルガイド５のケーブル保持部材６に保持されたケーブル曲げ部１００ｗとの高さが異なっているので、ケーブル１００の一端１００ｃと、ケーブル曲げ部１００ｗとの干渉を防ぐことができる。これにより、ケーブルガイド５およびケーブル保持部材６を筐体２の後端部２ｒに接近させて配置することができる。そのため、ラック３内における筐体２の後方の空間Ｓを小さくし、筐体２の前後方向の寸法を大きくできる。その結果、ラック３におけるスペースの有効利用を図ることが可能となる。
【００２２】
［第２の実施形態］
図２は、本実施形態による装置としてのサーバ装置を示す斜視図である。図３は、サーバの後端部を斜め後方から見た図である。図４は、サーバの後端部の平面図である。図５は、サーバの後端部の後面図である。図６は、ケーブル保持部材を示す斜視図である。
この図２が示すように、サーバ装置（装置）２００は、筐体２を有したサーバ１０と、ケーブル１００と、ケーブルガイド（ケーブルガイド装置）５０と、を備えている。
【００２３】
サーバ１０は、例えば平面視長方形状の筐体２０内に、複数の電子機器４を収納している。電子機器４としては、例えば、ＣＰＵ（Central Processing Unit）やメモリ等の記憶装置を有したサーバモジュール、サーバモジュールを冷却するための風を発生するファンモジュール、サーバモジュールやファンモジュール等に電力を供給する電源モジュール、サーバモジュールと外部との間におけるデータの入出力を行う通信モジュール等がある。
【００２４】
サーバ１０の筐体２０は、例えば平面視長方形状の箱状をなしたラック３０に収容されている。ラック３０は、その四隅にそれぞれ上下方向に延びる支柱３１を有している。ラック３０には、上下方向に間隔を空けて複数のサーバ１０の筐体２０が収容される。ここで、平面視長方形状のサーバ１０における長辺方向を前後方向ＦＲ、短辺方向を幅方向Ｗとする。
【００２５】
図３、図４に示すように、各筐体２０の幅方向Ｗの両側にはガイドレール２１が設けられている。ガイドレール２１は、前後方向に間隔を空けて配置された支柱３１，３１（図２参照）に固定され、前後方向ＦＲに沿って延びる固定レール２１ａと、固定レール２１ａに沿ってスライド移動自在に支持された移動レール２１ｂと、を備える。移動レール２１ｂは、筐体２０の側面２０ｓに固定されている。これにより、筐体２０は、ガイドレール２１に沿って前後方向にスライド可能に支持され、ラック３０の前面から前方に引き出し可能とされている。
ラック３０内に筐体２０を前方に引き出さずに収容した状態で、筐体２０の後端部２０ｒとラック３０の後面３０ｒとの間には、空間Ｓが形成されている。
【００２６】
図３、図４、図５に示すように、筐体２０の後端部２０ｒにおいては、電子機器４に各種のケーブル１００の一端１００ｃがコネクタ１０２により接続されている。ケーブル１００が接続される電子機器４としては、例えば電源モジュール４Ｅや通信モジュール４Ｔ等がある。電源モジュール４Ｅには、電力供給用のケーブル１００が接続され、通信モジュール４Ｔには、データ入出力用のケーブル１００が接続されている。
ここで、データ入出力用のケーブル１００は、電力供給用のケーブル１００よりも外径が小さい。したがって、以下の説明においては、データ入出力用のケーブル１００を細径ケーブル１００Ｓと称し、電力供給用のケーブル１００を太径ケーブル１００Ｆと称するものとする。
また、筐体２０内において、電源モジュール４Ｅは、幅方向Ｗの一方の側に配置されている。太径ケーブル１００Ｆの一端１００ｃに設けられたコネクタは、筐体２０の後端部２０ｒに対し、幅方向Ｗの一方の側の上部に接続されている。
【００２７】
これらの太径ケーブル１００Ｆ、細径ケーブル１００Ｓは、その長さ方向の一部が、筐体２０の後端部２０ｒとラック３０の後面３０ｒとの間の空間Ｓに収容されている。
【００２８】
筐体２０の後端部２０ｒには、幅方向Ｗの他方の側の上部に、ケーブル結束部２２が設けられている。ケーブル結束部２２は、筐体２０の後端部２０ｒから後方に延びる一対の支持部２２ａ，２２ａと、これら支持部２２ａ，２２ａの間に架設され、幅方向Ｗに沿って延びる横杆部２２ｂと、を一体に有している。
【００２９】
筐体２０の後端部２０ｒとラック３０の後面３０ｒとの間には、ケーブルガイド５０が設けられている。ケーブルガイド５０は、筐体２０側の前部アーム５１の一端５１ａと、ラック３０の後面３０ｒ側の後部アーム５２の一端５２ａとが、連結部５３で回動自在に連結されている。
前部アーム５１は、連結部５３と反対側の他端５１ｂが筐体２０側のガイドレール２１の移動レール２１ｂに回動自在に連結されている。後部アーム５２は、連結部５３と反対側の他端５２ｂがラック３０の後面３０ｒ側でガイドレール２１の固定レール２１ａに回動自在に連結されている。ケーブルガイド５０は、前部アーム５１と後部アーム５２とが重なり合うように折り畳まれた状態から、連結部５３を中心として前部アーム５１の他端５１ｂと後部アーム５２の他端５２ｂとが前後方向ＦＲに沿って離間するよう、Ｖ字状に伸展可能となっている。これにより、筐体２０がラック３０内に収容された状態から、筐体２０を前方にスライドさせると、筐体２０の引き出し動作に応じてケーブルガイド５０が前後方向ＦＲに伸展する。
ここで、ケーブルガイド５０は、連結部５３を幅方向Ｗの一方の側に配置して設けられている。
【００３０】
ケーブルガイド５０の前部アーム５１、後部アーム５２には、それぞれ、ケーブルフック５５が幅方向Ｗに沿って間隔を空けて複数設けられている。各ケーブルフック５５は、前部アーム５１、後部アーム５２に固定され、上方に向かって開口したＵ字状のフック本体５５ａと、フック本体５５ａの上部の開口を開閉する蓋体５５ｂと、を備えている。ここで、複数のケーブルフック５５は、互いに高さが異なる第一ケーブルフック５５Ａと第二ケーブルフック５５Ｂとの二種類がある。このうち、第一ケーブルフック５５Ａよりも上下方向の高さが小さい第二ケーブルフック５５Ｂは、前部アーム５１において連結部５３側に最も近い位置に配置されて、かつ前部アーム５１の下側に固定されている。
【００３１】
ケーブルガイド５０において、前部アーム５１と後部アーム５２との連結部５３には、太径ケーブル１００Ｆ、細径ケーブル１００Ｓを曲げ状態で支持するケーブル保持部材５６が設けられている。
図６に示すように、ケーブル保持部材５６は、幅方向Ｗの一方の側に膨出する案内面５７を有している。案内面５７は、下半部に形成され、第一の曲率半径ｒ１で湾曲した第一案内面５７ａと、上半部に形成され、第二の曲率半径ｒ２で湾曲した第二案内面５７ｂと、を有する。
ここで、第二案内面５７ｂは、第一案内面５７ａの第一の曲率半径ｒ１よりも大きく、かつ、光ファイバの最小曲率半径以上の第二の曲率半径ｒ２で形成されている。
また、第一案内面５７ａは、第二案内面５７ｂに対し、径方向内側、つまり幅方向Ｗの他方の側に位置して形成されている。これにより、第一案内面５７ａと第二案内面５７ｂとの間には、径方向に沿った水平面内に位置する段差５８が形成されている。
【００３２】
第二案内面５７ｂの上下には、ケーブル１００を固定するための固定ベルト１０３等を挿通させる挿通孔５７ｈがそれぞれ形成されている。
【００３３】
また、ケーブル保持部材５６は、案内面５７に対向する支持部材５９を備えている。支持部材５９は、案内面５７の下端から案内面５７の径方向外方に向かって延びる底部支持部５９ａと、底部支持部５９ａから上方に向かって延び、案内面５７に対して間隔を空けて対向する側部支持部５９ｂと、側部支持部５９ｂの上端部と案内面５７の上端部との間を開閉可能に閉塞する蓋部５９ｃと、を備えている。
【００３４】
図３〜図５に示すように、このようなケーブルガイド５０に対し、一端１００ｃが筐体２０の後端部２０ｒで電子機器４に接続された太径ケーブル１００Ｆ、細径ケーブル１００Ｓは、幅方向Ｗの他方の側に導かれ、ケーブル結束部２２の横杆部２２ｂに、結束ベルト等の結束具１０１により複数本がまとめて結束されている。これら太径ケーブル１００Ｆ、細径ケーブル１００Ｓは、結束具１０１に結束された部分から幅方向Ｗの一方の側に向かって湾曲させて折り返される。
折り返された太径ケーブル１００Ｆ、細径ケーブル１００Ｓは、ケーブルガイド５０の前部アーム５１の他端５１ｂ側から一端５１ａに向かって沿わせて配設され、ケーブルフック５５のフック本体５５ａ内に収容される。前部アーム５１において連結部５３側に最も近い位置に配置された第二ケーブルフック５５Ｂには、太径ケーブル１００Ｆのみが収容されて束ねられる。このようにして、太径ケーブル１００Ｆは、下側に束ねられ、細径ケーブル１００Ｓは、第二ケーブルフック５５Ｂの上方を通って、ケーブル保持部材５６へと導かれる。
【００３５】
ケーブル保持部材５６において、太径ケーブル１００Ｆ、細径ケーブル１００Ｓは、案内面５７に沿って案内され、幅方向Ｗの他方の側に向かって折り返される。ここで、太径ケーブル１００Ｆは、下側の第一案内面５７ａに沿って湾曲している。細径ケーブル１００Ｓは、上側の第二案内面５７ｂに沿って湾曲し、固定ベルト１０３により固定されている。
ケーブル保持部材５６は、このようにして曲げ状態とされた太径ケーブル１００Ｆのケーブル曲げ部１００ｗを、筐体２０の後端部２０ｒで電子機器４に接続されたケーブル１００の一端１００ｃとは、異なる高さで保持する。具体的には、電子機器４に接続されたケーブル１００の一端１００ｃに対し、ケーブル保持部材５６に保持された太径ケーブル１００Ｆのケーブル曲げ部１００ｗは、下方に位置している。
【００３６】
ケーブル保持部材５６に曲げ状態で保持された太径ケーブル１００Ｆ，細径ケーブル１００Ｓは、ケーブルガイド５０の後部アーム５２の一端５２ａから他端５２ｂ側に向かって沿うように配設され、各ケーブルフック５５のフック本体５５ａ内に収容される。
【００３７】
上記ケーブル保持部材５６は、第一案内面５７ａが、第二案内面５７ｂに対し、径方向内側、つまり幅方向Ｗの他方の側に位置しているので、支持部材５９の側部支持部５９ｂとの間隔が、第一案内面５７ａよりも広くなっている。これにより、第一案内面５７ａとの間に、より多くの太径ケーブル１００Ｆを収容することができる。
また、第一案内面５７ａと第二案内面５７ｂとの間には、径方向に沿った水平面内に位置する段差５８が形成されている。これにより、太径ケーブル１００Ｆが上方にずれて細径ケーブル１００Ｓの収容空間に入り込むのを抑えることができる。
また、第二案内面５７ｂは、第一案内面５７ａの第一の曲率半径ｒ１よりも大きく、かつ、光ファイバの最小曲率半径以上の第二の曲率半径ｒ２で形成されている。したがって、細径ケーブル１００Ｓの曲率を光ファイバの最小曲率半径以上に維持することができる。
【００３８】
このようなサーバ装置２００では、筐体２０がラック３０内に収容され、前部アーム５１と後部アーム５２とが折り畳まれた状態で、筐体２０に接続されるケーブル１００の一端１００ｃと、ケーブルガイド５０に保持されたケーブル１００との高さが異なっているので、ケーブル１００の一端１００ｃと、ケーブルガイド５０に保持されたケーブル１００との干渉を防ぐことができる。これにより、ケーブルガイド５０を筐体２０の後端部２０ｒに接近させて配置することができる。したがって、ラック３０内における筐体２０の後方の空間Ｓを小さくし、筐体２０の前後方向の寸法を大きくできる。その結果、ラック３０内に収容する筐体２０を大きくする等して、ラック３０内におけるスペースの有効利用を図ることが可能となる。
【００３９】
また、ケーブルガイド５０は、ケーブル１００の一端１００ｃとは異なる高さで、曲げ状態のケーブル曲げ部１００ｗを保持するケーブル保持部材５６を備えている。これにより、ケーブル１００の一端１００ｃと、ケーブル曲げ部１００ｗとの干渉を防ぐことができる。その結果、ケーブルガイド５０およびケーブル保持部材５６を筐体２０の後端部２０ｒに接近させて配置することが可能となる。
【００４０】
また、サーバ装置２００においては、筐体２０に収納される電子機器４に一端１００ｃが接続され、筐体２０の後端部２０ｒとラック３０の後面３０ｒとの間に長さ方向の一部が収容され、太径ケーブル１００Ｆよりも外径が細い細径ケーブル１００Ｓをさらに備え、細径ケーブル１００Ｓは、ケーブル保持部材５６に、太径ケーブル１００Ｆとは異なる高さで保持されている。
このようにして、太径ケーブル１００Ｆと細径ケーブル１００Ｓとを互いに異なる高さで保持することで、太径ケーブル１００Ｆと細径ケーブル１００Ｓとを、区別して配置することができる。これにより、太径ケーブル１００Ｆ、細径ケーブル１００Ｓを整然と配索しつつ、ケーブル管理を容易かつ確実に行うことができる。
【００４１】
また、サーバ装置２００においては、ケーブル保持部材５６は、太径ケーブル１００Ｆを案内し、第一の曲率半径で湾曲した第一案内面５７ａと、細径ケーブル１００Ｓを案内し、第一案内面５７ａよりも大きな曲率半径で湾曲した第二案内面５７ｂと、を備えている。
このように、電源供給用の太径ケーブル１００Ｆと、光ファイバからなる細径ケーブル１００Ｓとで、第一案内面５７ａと第二案内面５７ｂとの曲率半径を異ならせることで、光ファイバからなる細径ケーブル１００Ｓの最小曲率半径を確保することができる。
【００４２】
また、サーバ装置２００においては、第一案内面５７ａは、第二案内面５７ｂに対し、径方向内側に配置されている、このように、第一案内面５７ａを径方向内側に配置することで、第一案内面５７ａと支持部材５９の側部支持部５９ｂとの間隔が、第二案内面５７ｂと側部支持部５９ｂとの間隔よりも広くなっている。これにより、第一案内面５７ａとの間に、より多くの太径ケーブル１００Ｆを収容することができる。その結果、太径ケーブル１００Ｆの収容効率を高めることができる。
【００４３】
また、サーバ装置２００においては、第一案内面５７ａと第二案内面５７ｂとの間に、径方向に沿った段差５８が形成されている。これにより、太径ケーブル１００Ｆが上方にずれて細径ケーブル１００Ｓの収容空間に入り込むのを抑えることができる。
【００４４】
また、サーバ装置２００においては、ケーブル保持部材５６で、太径ケーブル１００Ｆが、細径ケーブル１００Ｓの下方に配置されている。
電源供給用の太径ケーブル１００Ｆは、データ入出力用の光ファイバからなる細径ケーブル１００Ｓに比較すると、交換頻度が少ない。このように、交換頻度が少ない太径ケーブル１００Ｆを細径ケーブル１００Ｓの下方に配置することで、太径ケーブル１００Ｆが邪魔にならず、細径ケーブル１００Ｓの交換作業等を容易に行うことができる。
【００４５】
また、サーバ装置２００においては、ケーブルガイド５０は、ケーブル保持部材５６に対して筐体２０の後端部２０ｒ側で、太径ケーブル１００Ｆと細径ケーブル１００Ｓとを異なる高さでガイドする。
これにより、ケーブル保持部材５６に対し、筐体２０の後端部２０ｒ側から、太径ケーブル１００Ｆと細径ケーブル１００Ｓとを区別して導くことができる。
【００４６】
また、サーバ装置２００においては、ケーブルガイド５０は、第一ケーブルフック５５Ａと、第一ケーブルフック５５Ａよりも高さが小さい第二ケーブルフック５５Ｂと、を備え、第二ケーブルフック５５Ｂは、ケーブルフック５５よりもケーブル保持部材５６に近い位置に設けられている。
これにより、第二ケーブルフック５５Ｂよりも高さが大きい第一ケーブルフック５５Ａにおいては、太径ケーブル１００Ｆと細径ケーブル１００Ｓとをまとめて束ね、より低い第二ケーブルフック５５Ｂにおいては、太径ケーブル１００Ｆのみを束ねて保持することができる。これによって、太径ケーブル１００Ｆを、ケーブル保持部材５６の第一案内面５７ａに向かってまとめて導くことができ、ケーブル配索を効率よく行うことができる。
【００４７】
また、サーバ装置２００においては、第二ケーブルフック５５Ｂは、太径ケーブル１００Ｆの一端１００ｃとは異なる高さに設けられて太径ケーブル１００Ｆを保持する。これにより、太径ケーブル１００Ｆと、太径ケーブル１００Ｆの一端１００ｃとが干渉するのを確実に抑えることができる。
【００４８】
また、上記ケーブルガイド５０は、ラック３０に前面から引き出し可能に支持される筐体２０に収納された電子機器４に一端１００ｃが接続され、筐体２０の後端部２０ｒとラック３０の後面３０ｒとの間に長さ方向の一部が収容される太径ケーブル１００Ｆを支持するケーブルガイド５０であって、太径ケーブル１００Ｆの一端１００ｃとは異なる高さで、太径ケーブル１００Ｆを曲げ状態で保持するケーブル保持部材５６を備えている。
このように、太径ケーブル１００Ｆの筐体２０側への接続部と、ケーブルガイド５０に保持されたケーブル曲げ部１００ｗとの高さを異ならせることで、太径ケーブル１００Ｆ同士の干渉を防ぐことができる。
【００４９】
また、上記ケーブル保持部材５６は、ラック３０に前面から引き出し可能に支持される筐体２０に収納された電子機器４に一端１００ｃが接続され、筐体２０の後端部２０ｒとラック３０の後面３０ｒとの間に長さ方向の一部が収容される太径ケーブル１００Ｆを曲げ状態で保持するケーブル保持部材５６であって、第一の曲率半径で湾曲した第一案内面５７ａと、第一案内面５７ａよりも大きな曲率半径で湾曲した第二案内面５７ｂと、を備えている。
このようなケーブル保持部材５６によれば、ケーブル１００の一端１００ｃと、ケーブル曲げ部１００ｗとの干渉を防ぐことができる。これにより、ケーブルガイド５０およびケーブル保持部材５６を筐体２０の後端部２０ｒに接近させて配置することができる。その結果、ラック３０内における筐体２０の後方の空間Ｓを小さくし、筐体２０の前後方向の寸法を大きくできる。その結果、ラック３０におけるスペースの有効利用を図ることが可能となる。
【００５０】
なお、上記実施形態では、筐体２、２０の後方の空間Ｓに収容するケーブル１００の種類や数は、いかなるものであってもよい。また、太径ケーブル１００Ｆについて、電子機器４に接続された一端１００ｃと、ケーブル保持部材５６において曲げ状態で保持されるケーブル曲げ部１００ｗとが異なるようにしたが、細径ケーブル１００Ｓについても、同様に、電子機器４に接続された一端１００ｃと、ケーブル保持部材５６において曲げ状態で保持されるケーブル曲げ部１００ｗとが異なるようにしてもよい。
【００５１】
また、ケーブル保持部材５６においては、太径ケーブル１００Ｆと細径ケーブル１００Ｓとで、ケーブル外径に応じて上下に区分して配置するようにしたが、区分の方法については、いかなるものとしてもよい。
【００５２】
また、上記実施形態では、装置１、サーバ装置２００を示したが、筐体２、２０内に備える電子機器４の種類や数は、何ら限定するものではない。
また、ラック３、３０内で筐体２、２０を前後方向ＦＲに沿ってスライド移動自在に支持する構成、筐体２、２０の引き出し動作に応じて伸展するケーブルガイド５、５０の構成等は、所要の機能を果たすことができるのであれば、他のいかなる構成としてもよい。
加えて、上記第２の実施形態では、装置としてＣＰＵ等を備えるサーバ装置２００を例示したが、これに限らない。装置としては、筐体２０内に、ＣＰＵ等を備えない他の各種の装置であっても、本発明を適用することが可能である。
これ以外にも、本発明の主旨を逸脱しない限り、上記実施の形態で挙げた構成を取捨選択したり、他の構成に適宜変更したりすることが可能である。
【符号の説明】
【００５３】
１  装置
２  筐体
２ｒ  後端部
３  ラック
３ｒ  後面
４  電子機器
５  ケーブルガイド（ケーブルガイド装置）
６  ケーブル保持部材
１０  サーバ
２０  筐体
２０ｒ  後端部
３０  ラック
３０ｒ  後面
５０  ケーブルガイド（ケーブルガイド装置）
５５Ａ  第一ケーブルフック（第一ケーブル保持具）
５５Ｂ  第二ケーブルフック（第二ケーブル保持具）
５６  ケーブル保持部材
５７  案内面
５７ａ  第一案内面
５７ｂ  第二案内面
５８  段差
１００  ケーブル
１００Ｆ  太径ケーブル（ケーブル）
１００Ｓ  細径ケーブル
１００ｃ  一端
１００ｗ  ケーブル曲げ部
２００  サーバ装置（装置）
Ｓ  空間
【図１】
2017084905.tif 000003
【図２】
2017084905.tif 000004
【図３】
2017084905.tif 000005
【図４】
2017084905.tif 000006
【図５】
2017084905.tif 000007
【図６】
2017084905.tif 000008
【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
ラックに前面から引き出し可能に支持される筐体と、
前記筐体に収納される電子機器に一端が接続され、前記筐体の後端部と前記ラックの後面との間に長さ方向の一部が収容されるケーブルと、
前記筐体の後端部と前記ラックの後面との間で、前記筐体の引き出し動作に応じて伸展可能で、前記筐体の後端部と前記ラックの後面との間の前記ケーブルをガイドするケーブルガイドと、を備え、
前記ケーブルガイドは、前記ケーブルの一端とは異なる高さで、前記ケーブルを保持し、
前記ケーブルガイドに設けられて前記ケーブルを曲げ状態で保持するケーブル保持部材は、
前記ケーブルを案内し、第一の曲率半径で湾曲した第一案内面と、
前記ケーブルより外径が細い細径ケーブルを案内し、前記第一案内面よりも小さな曲率半径で湾曲した第二案内面と、を備える装置。
【請求項２】
前記ケーブルガイドは、前記ケーブルの一端とは異なる高さで、前記ケーブルを曲げ状態で保持するケーブル保持部材を備える、
請求項１に記載の装置。
【請求項３】
前記筐体に収納される電子機器に一端が接続され、前記筐体の後端部と前記ラックの後面との間に長さ方向の一部が収容され、前記ケーブルよりも外径が細い細径ケーブルをさらに備え、
前記細径ケーブルは、前記ケーブル保持部材に、前記ケーブルとは異なる高さで保持される、
請求項２に記載の装置。
【請求項４】
前記第一案内面は、前記第二案内面に対し、径方向内側に配置されている、
請求項１から３のいずれか一項に記載の装置。
【請求項５】
前記第一案内面と前記第二案内面との間に、径方向に沿った段差が形成されている、
請求項１から４のいずれか一項に記載の装置。
【請求項６】
前記ケーブル保持部材で、前記ケーブルが、前記細径ケーブルの下方に配置されている、請求項３から５のいずれか一項に記載の装置。
【請求項７】
前記ケーブルガイドは、前記ケーブル保持部材に対して前記筐体の後端部側で、前記ケーブルと前記細径ケーブルとを異なる高さでガイドする、
請求項３から６のいずれか一項に記載の装置。
【請求項８】
前記ケーブルガイドは、
第一ケーブル保持具と、
前記第一ケーブル保持具よりも高さが低い第二ケーブル保持具と、を備え、
前記第二ケーブル保持具は、前記ケーブルの一端とは異なる高さに設けられ、前記ケーブルを保持する、
請求項２から７のいずれか一項に記載の装置。
【請求項９】
前記第二ケーブル保持具は、前記第一ケーブル保持具よりも前記ケーブル保持部材に近い位置に設けられている、
請求項８に記載の装置。
【請求項１０】
ラックに前面から引き出し可能に支持される筐体に収納された電子機器に一端が接続され、前記筐体の後端部と前記ラックの後面との間に長さ方向の一部が収容されるケーブルを支持するケーブルガイド装置であって、
前記ケーブルの一端とは異なる高さで、前記ケーブルを曲げ状態で保持するケーブル保持部材を備え、
前記ケーブル保持部材は、
前記ケーブルを案内し、第一の曲率半径で湾曲した第一案内面と、
前記ケーブルより外径が細い細径ケーブルを案内し、前記第一案内面よりも小さな曲率半径で湾曲した第二案内面と、を備えるケーブルガイド装置。
【請求項１１】
ラックに前面から引き出し可能に支持される筐体に収納された電子機器に一端が接続され、前記筐体の後端部と前記ラックの後面との間に長さ方向の一部が収容されるケーブルを曲げ状態で保持するケーブル保持部材であって、
第一の曲率半径で湾曲した第一案内面と、
前記第一案内面よりも小さな曲率半径で湾曲した第二案内面と、
を備えるケーブル保持部材。
【手続補正２】
【補正対象書類名】明細書
【補正対象項目名】００１０
【補正方法】変更
【補正の内容】
【００１０】
この発明の第三態様によれば、ケーブル保持部材は、ラックに前面から引き出し可能に支持される筐体に収納された電子機器に一端が接続され、前記筐体の後端部と前記ラックの後面との間に長さ方向の一部が収容されるケーブルを曲げ状態で保持するケーブル保持部材であって、第一の曲率半径で湾曲した第一案内面と、前記第一案内面よりも小さな曲率半径で湾曲した第二案内面と、を備える。
【手続補正３】
【補正対象書類名】明細書
【補正対象項目名】００３１
【補正方法】変更
【補正の内容】
【００３１】
ケーブルガイド５０において、前部アーム５１と後部アーム５２との連結部５３には、太径ケーブル１００Ｆ、細径ケーブル１００Ｓを曲げ状態で支持するケーブル保持部材５６が設けられている。
図６に示すように、ケーブル保持部材５６は、幅方向Ｗの一方の側に膨出する案内面５７を有している。案内面５７は、下半部に形成され、第一の曲率半径ｒ１で湾曲した第一案内面５７ａと、上半部に形成され、第二の曲率半径ｒ２で湾曲した第二案内面５７ｂと、を有する。
ここで、第二案内面５７ｂは、第一案内面５７ａの第一の曲率半径ｒ１よりも小さく、かつ、光ファイバの最小曲率半径以上の第二の曲率半径ｒ２で形成されている。
また、第一案内面５７ａは、第二案内面５７ｂに対し、径方向内側、つまり幅方向Ｗの他方の側に位置して形成されている。これにより、第一案内面５７ａと第二案内面５７ｂとの間には、径方向に沿った水平面内に位置する段差５８が形成されている。
【手続補正４】
【補正対象書類名】明細書
【補正対象項目名】００３７
【補正方法】変更
【補正の内容】
【００３７】
上記ケーブル保持部材５６は、第一案内面５７ａが、第二案内面５７ｂに対し、径方向内側、つまり幅方向Ｗの他方の側に位置しているので、支持部材５９の側部支持部５９ｂとの間隔が、第一案内面５７ａよりも広くなっている。これにより、第一案内面５７ａとの間に、より多くの太径ケーブル１００Ｆを収容することができる。
また、第一案内面５７ａと第二案内面５７ｂとの間には、径方向に沿った水平面内に位置する段差５８が形成されている。これにより、太径ケーブル１００Ｆが上方にずれて細径ケーブル１００Ｓの収容空間に入り込むのを抑えることができる。
また、第二案内面５７ｂは、第一案内面５７ａの第一の曲率半径ｒ１よりも小さく、かつ、光ファイバの最小曲率半径以上の第二の曲率半径ｒ２で形成されている。したがって、細径ケーブル１００Ｓの曲率を光ファイバの最小曲率半径以上に維持することができる。
【手続補正５】
【補正対象書類名】明細書
【補正対象項目名】００４１
【補正方法】変更
【補正の内容】
【００４１】
また、サーバ装置２００においては、ケーブル保持部材５６は、太径ケーブル１００Ｆを案内し、第一の曲率半径で湾曲した第一案内面５７ａと、細径ケーブル１００Ｓを案内し、第一案内面５７ａよりも小さな曲率半径で湾曲した第二案内面５７ｂと、を備えている。
このように、電源供給用の太径ケーブル１００Ｆと、光ファイバからなる細径ケーブル１００Ｓとで、第一案内面５７ａと第二案内面５７ｂとの曲率半径を異ならせることで、光ファイバからなる細径ケーブル１００Ｓの最小曲率半径を確保することができる。
【手続補正６】
【補正対象書類名】明細書
【補正対象項目名】００４９
【補正方法】変更
【補正の内容】
【００４９】
また、上記ケーブル保持部材５６は、ラック３０に前面から引き出し可能に支持される筐体２０に収納された電子機器４に一端１００ｃが接続され、筐体２０の後端部２０ｒとラック３０の後面３０ｒとの間に長さ方向の一部が収容される太径ケーブル１００Ｆを曲げ状態で保持するケーブル保持部材５６であって、第一の曲率半径で湾曲した第一案内面５７ａと、第一案内面５７ａよりも小さな曲率半径で湾曲した第二案内面５７ｂと、を備えている。
このようなケーブル保持部材５６によれば、ケーブル１００の一端１００ｃと、ケーブル曲げ部１００ｗとの干渉を防ぐことができる。これにより、ケーブルガイド５０およびケーブル保持部材５６を筐体２０の後端部２０ｒに接近させて配置することができる。その結果、ラック３０内における筐体２０の後方の空間Ｓを小さくし、筐体２０の前後方向の寸法を大きくできる。その結果、ラック３０におけるスペースの有効利用を図ることが可能となる。